(57)【要約】      （修正有）【課題】スラブ上面からスタッド方向に延びるひび割れとスラブ端部から延びる割れが発生することを防止することができる合成デッキスラブを提供する。【解決手段】スタッド付きのフランジ１４Ｆを有する鉄骨梁１４が用いられている合成デッキスラブであって、少なくともフランジの範囲において、補強手段１５，４１，４２が講じられている合成デッキスラブ。【選択図】図５
2020041348.tif 000002
【特許請求の範囲】
【請求項１】
スタッド付きのフランジを有する鉄骨梁が用いられている合成デッキスラブであって、少なくともフランジの範囲において、補強手段が講じられていることを特徴とする合成デッキスラブ。
【請求項２】
補強手段が、スタッドの列に沿って補強材が配置されていることを特徴とする請求項１記載の合成デッキスラブ。
【請求項３】
補強手段が、先端がワイヤメッシュの配筋位置以上の高さを有するスタッドであることを特徴とする請求項１又は２記載の合成デッキスラブ。
【請求項４】
補強手段が、コ字型であって、鉄骨梁のフランジの上面に配置されていることを特徴とする請求項１〜３のいずれかに記載の合成デッキスラブ。
【請求項５】
補強手段が、スラブ端部において補強鉄筋をワイヤメッシュの上部から下方に折り曲げて配置されていることを特徴とする請求項１〜４のいずれかに記載の合成デッキスラブ。
【請求項６】
補強手段が、デッキプレートの溝内配置されている補強鉄筋をスラブ端部側に延出して、上方に折り曲げられて配置されていることを特徴とする請求項１〜５のいずれかに記載の合成デッキスラブ。
【請求項７】
補強手段が、ワイヤメッシュの下面にスラブ端部に向けて配設された補強鉄筋と該補強鉄筋の端部に接合された鉄板で構成されることを特徴とする請求項１〜６のいずれかに記載の合成デッキスラブ。
【請求項８】
補強手段が、デッキプレートの溝内からスラブ端部に向けて配設された補強鉄筋と補強鉄筋の端部に接合された鉄板で構成されることを特徴とする請求項１〜７のいずれかに記載の合成デッキスラブ。
【請求項９】
補強手段が、隣接するスタッドを交互に縫って鉄筋を配置されていることを特徴とする請求項１〜８のいずれかに記載の合成デッキスラブ。
【請求項１０】
補強手段が、ワイヤメッシュの目よりも狭いピッチの補強用溶接金網が頭付きスタッドに被せられて配置されていることを特徴とする請求項１〜９のいずれかに記載の合成デッキスラブ。
【請求項１１】
補強手段が、複数の鉄筋が異なる向きで隣接するスタッドを交互に縫って配置されていることを特徴とする請求項１〜１０のいずれかに記載の合成デッキスラブ。
【発明の詳細な説明】
【技術分野】
【０００１】
本発明は、合成デッキスラブに関する。
【背景技術】
【０００２】
近年、鉄骨梁と床スラブとの接合部の設計において、鉄骨梁のフランジに設けられたスタッドの剪断抵抗機能を利用して鉄骨梁と床スラブのコンクリートとを一体化させた合成梁としての設計や、地震時に床スラブに加わった水平力をスタッドの剪断抵抗機能を利用し鉄骨梁に伝達する設計が行われ、鉄骨梁のフランジにスタッドを設けることが多くなっている。
合成デッキスラブの一般例を図１２に示す。鉄骨などの左右の梁に載せたデッキプレート（折曲鋼板）の上面にワイヤメッシュ１３を配筋してコンクリート１２を打設して形成したのが合成デッキスラブである。さらに特許文献１に提案されるように鉄骨のフランジにスタッド１５を設けて、補強することも提案されている。
従来、鉄骨梁と床スラブとを接合する際に、鉄骨梁のフランジにスタッドを設け、鉄骨梁と床スラブのコンクリートとを一体化させる技術が提案されている（例えば、特許文献１（特開２０１２−０１２７８８号公報）参照）。
複数のスタッドが配列して鉄骨梁の上フランジの上部において床スラブのコンクリートと定着する補強部材を設けた、地震対策などを目的としてスタッド周りを補強する技術が特許文献２（特開２０１６−０２３４４０号公報）などに開示されている。
【先行技術文献】
【特許文献】
【０００３】
【特許文献１】特開２０１２−０１２７８８号公報
【特許文献２】特開２０１６−０２３４４０号公報
【発明の概要】
【発明が解決しようとする課題】
【０００４】
本発明者は、合成デッキスラブ強度性能について検討した結果、スラブ上面からスタッド方向に延びるひび割れとスラブ端部から延びる割れが発生することを知見した。本発明は、この割れを防止する手段を講ずることを目的とする。
【課題を解決するための手段】
【０００５】
本発明は、鉄骨梁のフランジ上方あるいはスラブコンクリート端面に拘束部材を設けることにより端部補強を行った合成デッキスラブを実現した。
特に、鉄骨梁のフランジ上部に設けられたスタッドに緊締され、又はスタッド近傍に配置された部材が、周辺のコンクリートに加わる剪断力や支圧を分散するため、火災時、スタッド周辺のコンクリートに加わった剪断力や支圧によるコンクリートの破壊を抑制する。そして、床スラブはより大きな鉛直荷重を支持することを可能にできる。
本発明の主な構成は次のとおりである。
【０００６】
１．スタッド付きのフランジを有する鉄骨梁が用いられている合成デッキスラブであって、少なくともフランジの範囲において、補強手段が講じられていることを特徴とする合成デッキスラブ。スタッドは頭付きスタッドなどがある。
２．補強手段が、スタッドの列に沿って補強材が配置されていることを特徴とする１．記載の合成デッキスラブ。
補強材の例として鉄筋、板体等があり、補強材の配置はスタッドに対して合成デッキスラブの端部側、あるいは、内側、又はスタッドの両側に設けることがある。補強材は、フリーあるいはスタッドに結着、溶接などの手段より固定することもできる。
補強材としては細長い板体をスタッドの端部側あるいは内側に配置することができる。この板体は、フリーの他溶接など手段によりスタッドに固着することができる。
補強材は鉄骨梁の長手方向に設けられる。補強材は、一本あるいは分割されたものでも良い。
３．補強手段が、先端がワイヤメッシュの配筋位置以上の高さを有するスタッドであることを特徴とする１．又は２．記載の合成デッキスラブ。ワイヤメッシュをスタッドに溶接などの手段で接合することができる。あるいは、ワイヤメッシュとは別に長い鉄筋と短い鉄筋を梯子状に組んだ補強用の配筋または溶接金網などを併用することもできる。
４．補強手段が、コ字型であって、鉄骨梁のフランジの上面に配置したことを特徴とする１．〜３．のいずれかに記載の合成デッキスラブ。補強手段は、コ字状に折り曲げて形成した鉄筋などがある。大きさは限られないが、隣接するスタッドの間隔より小さい幅、スタッドよりも高い長さの補強材を使用することができる。補強材の配置は、例えば、スタッドを跨ぐ様に配置、あるいは、スタッドの間に設けることができる。補強材の設置数は、限定されるものではないが、スタッドの数と同数とすることができる。
５．補強手段が、スラブ端部において補強鉄筋をワイヤメッシュの上部から下方に折り曲げて配置したことを特徴とする１．〜４．のいずれかに記載の合成デッキスラブ。
１回折り曲げ（９０度）て合成デッキスラブ端部に補強鉄筋を配置する、２回折り曲げ（１８０度）て補強鉄筋の先端がデッキプレート側に延ばす等がある。
６．補強手段が、デッキプレートの溝内配置されている補強鉄筋をスラブ端部側に延出して、上方に折り曲げて配置されていることを特徴とする１．〜５．のいずれかに記載の合成デッキスラブ。
折り曲げ例は、１回（９０度）、２回（１８０度）である。２度折りして、折り返した補強鉄筋の先端をワイヤメッシュの上方に配置することもできる。
さらに、折り返し部の内側に鉄筋を鉄骨梁の軸方向に配置することができる。
７．補強手段が、ワイヤメッシュの下面にスラブ端部に向けて配設された補強鉄筋と該補強鉄筋の端部に接合された鉄板で構成されていることを特徴とする１．〜６．のいずれかに記載の合成デッキスラブ。
８．補強手段が、デッキプレートの溝内からスラブ端部に向けて配設された補強鉄筋と補強鉄筋の端部に接合された鉄板で構成されていることを特徴とする１．〜７．のいずれかに記載の合成デッキスラブ。
９．補強手段が、隣接するスタッドを交互に縫って鉄筋等の補強材が配置された構成であることを特徴とする１．〜８．のいずれかに記載の合成デッキスラブ。
１０．補強手段が、ワイヤメッシュの目よりも狭いピッチの補強用の配筋または溶接金網が頭付きスタッドに被せられて配置された構成であることを特徴とする１．〜９．のいずれかに記載の合成デッキスラブ。補強用溶接金網の例は、はしご状がある。補強用配筋または溶接金網はスタッドに結束されることもある。補強手段は、ワイヤメッシュの上に配置することができるが、下でも良い。
１１．補強手段が、複数の鉄筋などの補強材が異なる向きで隣接するスタッドを交互に縫って配置されていることを特徴とする１．〜１０．のいずれかに記載の合成デッキスラブ。
【発明の効果】
【０００７】
１．本発明は、梁とデッキスラブの接合部において、合成デッキスラブの端部を補強することによって、熱被ばくなどによるひび割れを防止することができる。ひび割れは特に、鉄骨梁の上部側にスタッドに向けて生ずるひび割れやスラブ端部に発生するひび割れを防止することができる。
２．鉄骨梁のフランジの上部に設けられたスタッドに緊結され、又は、スタッド近傍に配置された部材が、周辺のコンクリートに加わるせん断力や支圧によるコンクリートの破壊を抑制する。また、床スラブはより大きな鉛直荷重を支持することが可能になる。
３．鉄骨梁のフランジ上部の範囲であるスラブ端部が補強されているので、合成デッキスラブのスラブ端部の鉄骨梁への固定度を向上できる。
４．合成デッキスラブのスラブ端部の引き抜き耐力が向上して鉄骨梁への固定度が向上し、合成デッキスラブ端部のひび割れの拡大を抑制できて、積載荷重やスパンなどの許容性能を上げることができる。
【０００８】
５．本発明は、主に鉄骨構造物に適用される、鉄骨梁上に敷設されたＱＬデッキなどのデッキプレートとスラブコンクリートから構成される合成デッキスラブに適用される。合成デッキスラブは、火災時などには梁と合成デッキスラブの接合部である支点位置で崩壊する。そこで、合成デッキスラブの支点位置（接合位置）を補強することで、積載荷重やスパンなどの許容性能の向上、耐火性能の向上が可能となる。
本発明は、端部の補強手段として、（ａ）端部スタッドの両側に鉄筋を添わせる、（ｂ）端部スタッドを長くする、（ｃ）端部にコ字型の鉄筋を差し込む、（ｄ）ワイヤメッシュの上方から折り返した鉄筋を配置、（ｅ）デッキプレートの溝内から上方に折り返した補強鉄筋を配置、（ｆ）鉄板を端部に接合した補強鉄筋をワイヤメッシュの下面に配置、（ｇ）鉄板を端部に接合した補強鉄筋をデッキプレートの溝内に配置、（ｈ）スタッドを縫って配置した補強鉄筋、（ｉ）スタッドに被せて配置した補強用溶接金網、（ｊ）スタッドを挟み込むように複数の鉄筋を交互にスタッドを縫って配置した補強鉄筋を講じている。
６．合成デッキスラブは、支点位置（接合部位置）の崩壊が耐火時間決定の要因のひとつになっている。火災時の合成デッキスラブの端部崩壊状況が図１に模式的に示されている。この図に示されるように、発生する応力がスタッド周りに集中し、コンクリートのひび割れを発生させる。また、加熱継続時間が長くなると、ひび割れ本数が多くなるのではなく発生したひび割れの幅が大きくなり、端部の崩壊につながるのである。合成デッキスラブの崩壊は、３ヒンジ状態になった場合である。耐火補強筋等の補強手段を講じていない合成デッキスラブでは端部の崩壊が合成デッキスラブの崩壊になるが、本発明では、合成デッキスラブの端部を補強しているので、耐火性能を向上させることができる。また、合成デッキスラブの端部を支持する梁に耐火被覆が施されている場合、本発明の補強も火災の熱から保護され、より性能を向上させることができる。本発明では、スタッド周りに発生する応力を分散させる補強手段を講じている。
【図面の簡単な説明】
【０００９】
【図１】火災時の合成デッキスラブの端部崩壊状況を示す図。（ａ）模式図
【図２】第１実施形態による補強手段講じた合成デッキスラブを示す図。（ａ）（ｂ）補強鉄筋をスタッド両面に設けた図、（ｃ）（ｄ）鉄筋よりも幅の広い鋼板をスタッドの方面に沿わせて設けた図
【図３】第２実施形態による補強手段を講じた合成デッキスラブを示す図。（ａ）斜視図（ｂ）断面図
【図４】第３実施形態による補強手段を講じた合成デッキスラブを示す図。（ａ）斜視図（ｂ）断面図
【図５】第４実施形態による補強手段を講じた合成デッキスラブを示す図。（ａ）斜視図（ｂ）断面図（ｃ）補強鉄筋を追加した例の斜視図（ｄ）補強鉄筋を追加した例の断面図
【図６】第５実施形態による補強手段を講じた合成デッキスラブの断面を示す図。
【図７】第６実施形態による補強手段を講じた合成デッキスラブの断面を示す図。
【図８】第７実施形態による補強手段を講じた合成デッキスラブの断面を示す図。
【図９】第８実施形態による補強手段を講じた合成デッキスラブを示す図。（ａ）鉄骨梁上面平面視図（ｂ）鉄骨梁斜視図
【図１０】第９実施形態による補強手段を講じた合成デッキスラブを示す図。（ａ）平面図（ｂ）斜視図
【図１１】第１０実施形態による補強手段を講じた合成デッキスラブを示す図。（ａ）鉄骨梁上面平面視図（ｂ）鉄骨梁斜視図
【図１２】一般的な合成デッキスラブの構造を示す図。
【発明を実施するための形態】
【００１０】
本発明は、端部に補強手段を講じた合成デッキスラブである。
本発明は、主に鉄骨構造物に適用される、鉄骨梁上に敷設されたＱＬデッキなどのデッキプレートとスラブコンクリートから構成される合成デッキスラブに適用される。合成デッキスラブの基本構造は図１２に示されるとおりである。ＱＬデッキはコンクリートと一体になって働くデッキプレートで、平成１４年国土交通省告示第３２６号に適合する合成スラブである。コンクリート打設時はデッキプレート型枠の役割をはたし、コンクリート硬化後は、主としてデッキプレートが引っ張り力に、コンクリートは圧縮力に抵抗し、大きな荷重に耐え、長いスパンをかけ渡すことができる。ＱＬデッキの合成スラブは、床面に作用する鉛直荷重及び面内水平荷重に対して合成スラブとして設計することができる。
また、鉄骨梁と合成スラブを頭付きスタッドで接合することで鉄骨梁を合成梁として設計することができる。
【００１１】
合成デッキスラブは、火災時などには梁と合成デッキスラブの接合部である支点位置で崩壊する。そこで、本発明は、合成デッキスラブの支点位置（接合位置）を補強して、積載荷重やスパンなどの許容性能の向上、耐火性能の向上を図っている。
本発明の主な端部の補強手段は、（ａ）端部スタッドの両側に鉄筋を添わせる、（ｂ）端部スタッドを長くする、（ｃ）端部にコ字型の鉄筋を差し込む、（ｄ）ワイヤメッシュの上方から折り返した鉄筋を配置、（ｅ）デッキプレートの溝内から上方に折り返した補強鉄筋を配置、（ｆ）鉄板を端部に接合した補強鉄筋をワイヤメッシュの下面に配置、（ｇ）鉄板を端部に接合した補強鉄筋をデッキプレートの溝内に配置、（ｈ）スタッドを縫って配置した補強鉄筋、（ｉ）スタッドに被せて配置した補強用溶接金網、（ｊ）スタッドを挟み込むように複数の鉄筋を交互にスタッドを縫って配置した補強鉄筋である。
これらの補強手段を講ずることにより、合成デッキスラブのスラブ端部の引き抜き耐力が向上して鉄骨梁への固定度が向上し、合成デッキスラブ端部のひび割れの拡大が抑制できて、積載荷重やスパンなどの許容性能を上げることができる。
本発明は、合成デッキスラブ端部の固定度を向上させることやスタッドに作用する応力を分散させることにより、合成デッキスラブの端面側や端部上面に発生しやすいひび割れを防止している。
合成デッキスラブに載荷する荷重によって生ずる歪みは、鉄骨梁のフランジに設置されているスタッドに集中し易いため、スタッドを起点とするひび割れを誘発しやすいが、スタッド周囲のスラブの固定度を向上すること、あるいは、隣接スタッド、補強筋の追加、ワイヤメッシュ等の既存部材へ応力を分散することにより、合成デッキスラブの端部に生ずるひび割れや引き抜きを抑制して、耐力向上を図ることができる。
【００１２】
また、耐火の観点からも耐火性能の向上を期待することができる。
合成デッキスラブは、支点位置（接合部位置）の崩壊により耐火時間が決定される。火災時の合成デッキスラブの端部崩壊状況が図１に模式的に示され、発生する応力がスタッド周りに集中し、コンクリートのひび割れを発生させる。また、熱被ばく加熱時間が長くなると、発生したひび割れの幅が大きくなり、端部の崩壊につながる。
合成デッキスラブの崩壊は、３ヒンジ状態になった場合である。耐火補強筋等の補強手段を講じていないデッキスラブでは端部の崩壊が合成デッキスラブの崩壊になるが、本発明では、スタッド周りに発生する応力を分散させる補強手段を行って、合成デッキスラブの端部を補強しているので、耐火性能を向上させることができる。
【００１３】
発明者等は、火災等の高温に合成デッキスラブが曝されると、図１に示すようなひび割れが発生して端部脆弱化が進み、耐力が低下することを知見した。このひび割れの状況をさらに分析すると、鉄骨梁のフランジの上面に列条に設けられているスタッドの先端を基点とするひび割れが多いことを見出した。  
図１は、Ｈ型鋼を用いた左右の鉄骨梁にＱＬデッキスラブを設置した合成デッキスラブの模式図である。ひび割れを簡略して示すと、鉄骨梁のフランジ上面に突出して設けられているスタッドの上端（この図では、頭付きスタッドの例）から、スラブ上面にある上面ひび割れＡ１と端面にある端面ひび割れＢ１である。
さらにひび割れ対策を検討した結果、鉄骨梁と合成スラブの結合ポイントであるスタッドに、合成デッキスラブに生ずる歪みによる応力が集中することが主な要因であると判断した。歪みの原因としては、例えば、自重や積載荷重による引っ張りと圧縮や高温による耐力の低下や部材の伸びに基づく引っ張りと圧縮などである。
本発明は、スタッド回りに集中する応力の分散と合成スラブ端部の固定度を向上する対策として、端部補強をすることにより、ひび割れの発生とひび割れの成長の抑制を図っている。したがって、本発明によって実現される合成デッキスラブは、積載荷重の増加、耐火性能の向上を図ることができる。
【００１４】
（第１実施形態）
以下、本発明の第１実施形態に係る合成デッキスラブについて、図２に基づいて説明する。
合成デッキスラブ１は、フランジ１４Ｆに頭付きスタッド１５を有するＨ形鋼製の鉄骨梁１４と、この鉄骨梁１４、１４間に渡されたＱＬデッキプレート１１とＱＬデッキプレート上にワイヤメッシュ１３が配筋されて、打設されたコンクリート１２から構成されている。図２に示すように、第１実施形態では、鉄骨梁の軸方向に並んでいるスタッドの列に沿って、鉄筋や細長い鋼板（フラットバー）を添わせて配置する。
図２（ａ）（ｂ）に示すものは、外補強鉄筋２１ａ、内補強鉄筋２１ｂをスタッド１５の両側に、スタッド両側補強筋２１として添わせている。
図２（ｃ）（ｄ）は、フラットバー２２をスタッド１５の外側に沿わせている例である。
スタッド両側補強筋２１あるいはフラットバー２２は、スタッドに頭があるので、上方に抜けることは抑制されるが、さらにスタッド１５に溶接などの手段で固定することができる。
【００１５】
本実施態様では、スタッド１５にスタッド両側補強筋２１あるいはフラットバー２２が沿って配設されたので、スタッドの変形を抑えるとともに、スタッドに発生する応力をスタッド両側補強筋２１やフラットバー２２に分散させることができる。これによって、発生する応力が個々のスタッド周りに集中することが防止され、コンクリートにひび割れが発生することを防止することができる。この補強手段により、合成デッキスラブのスラブ端部の引き抜き耐力が向上して鉄骨梁への固定度が向上し、合成デッキスラブ端部のひび割れ防止及びひび割れの拡大が抑制できて、積載荷重やスパンなどの許容性能を増強させることができる。
そして、スタッド周りに発生する応力を分散させる補強手段を行って、合成デッキスラブの端部を補強しているので、耐火性能を向上させることができる。 
【００１６】
（第２実施形態）
本発明の第２実施形態に係る合成デッキスラブについて、図３に基づいて説明する。
図３（ａ）に示すように合成デッキスラブ１の基本構造は図２と同様である。本実施態様２では、スタッド長の長いロングスタッド１５ｌを使用している。ロングスタッド１５ｌの長さは、ワイヤメッシュ１３の配筋高さ以上とする。
ワイヤメッシュをロングスタッドに結束や溶接して固定することにより、固定度を高めて、個々のスタッドに発生する応力をワイヤメッシュに伝達し、ワイヤメッシュと他のスタッドに対する応力分散を高めることができる。ロングスタッドの長さは、「スタッド先端がワイヤメッシュの配筋位置以上の高さにあるスタッド」が好ましい。
【００１７】
図３（ｂ）はワイヤメッシュの高さの長いスタッドを用いた例であり、図３（ｃ）は長いスタッドのヘッド直下にワイヤメッシュを固定した例、図３（ｄ）は長いスタッドを用いた中間梁の例であって、左右のワイヤメッシュをヘッドの下で重ねて配筋している状況が示され、図３（ｅ）は図３（ｃ）の斜視状態を示している。
スタッドを高くすることで、スタッドと同じ高さあるいは下にワイヤメッシュを配筋することができるので、スタッドに発生する応力の減少、スタッドとワイヤメッシュとの一体性が高まり、応力が個々のスタッド周りに集中することが防止され、スタッド周りに発生する応力を分散させることができる。
したがって、実施態様１同様の作用効果を奏する。
【００１８】
（第３実施形態）
合成デッキスラブ１の基本構造は図２と同様である。本実施態様３では、合成デッキスラブ１の端部にコの字型に成形したコ字型鉄筋３１をスタッド１５の周辺に差し込んで補強した合成デッキスラブである。
本発明の第３実施形態に係る合成デッキスラブについて、図４に基づいて説明する。図４（ａ）は、梁フランジ１４Ｆ上に設けられたスタッド１５に対してコ字型鉄筋３１を差し込む状態を模式的に示している。図４（ｂ）は、コ字型鉄筋３１が梁軸方向に設けられているスタッド１５の端部側（外側）に差し込まれた状態を模式的に示している。コ字型鉄筋３１がスタッド１５の上部を跨ぐように設けられている。
コ字型鉄筋３１は、鉄骨梁のフランジの外側でスタッドのヘッドの高さよりも上部に水平部材がなるように配置されている。コ字型鉄筋の数はスタッドの数分を設けることを基本とする。
【００１９】
鉄骨梁１４のフランジ１４Ｆ上に設けられているスタッド１５の外側に、コ字型鉄筋３１を落とし込むことにより、端部の固定度を高めることができる。スタッド１５付近から発生するデッキスラブの端部側及びスラブ上面に生ずるひび割れの発生及び成長がコ字型鉄筋３１で押さえられることになる。
【００２０】
（第４実施形態）
本発明の第４実施形態に係る合成デッキスラブについて、図５に基づいて説明する。
合成デッキスラブ１の基本構造は図２と同様である。本実施態様４では、ワイヤメッシュ１３の上側に配置されている補強用の鉄筋がスタッドより合成デッキスラブの端部側で下方に折り曲げられている。補強用鉄筋の折り曲げは、スラブの下方でさらに折り曲げて、スタッドの基端部を通って、ＱＬデッキなどのデッキプレートの溝内まで延ばすことができる。図示は、ワイヤメッシュ１３の上側からスタッド１５の基端側にスラブ端部において折り返されている下折フック補強筋４１を配置して補強した合成デッキスラブを示している。下折フック補強筋４１を設けることにより、スラブの引き抜き抵抗が向上し、固定度が向上して、スラブ上面に発生するひび割れが拡大することを抑制することができ、スラブ端部に発生するひび割れも拡大することを抑制することができる。下折フック補強筋４１は、２回９０度に折り曲げられて、１８０度フックとなっている。１回９０度折り曲げの９０度フックとすることもできる。
図示の例では、ワイヤメッシュ１３の上面側でかつスタッドの先端よりも上を通過した補強用の上部筋４１ａが左右の鉄骨梁１４、１４間に通っている。補強用の鉄筋は、鉄骨梁１４のフランジ１４Ｆ上部でワイヤメッシュよりも端部側で折り曲げられて端部筋４１ｂとなる。折り返された下部筋４１ｃの先端は、スタッド１５の基端側を通過して、鉄骨梁１４の右側のフランジ１４Ｆの上部にて、ＱＬデッキ１１の溝内に納まっていることが好ましい。
下折フック補強筋４１の設置本数は、スタッドの数分を基本とするが、設計等の必要性に応じて加減することができる。
【００２１】
本実施態様では、さらに上下の折り返し部の内側に上折曲部補強筋４２ａと下折曲部補強筋４２ｂからなる折曲部補強筋４２を鉄骨の軸方向に配置することができる。折曲部補強筋４２は、鉄骨梁１４軸方向に配置されており、梁の全長に渡る一本である必要はなく、分割されたものであっても良い。短いものは隣接するスタッドの間隔よりも長くすることが望ましい。
なお、ワイヤメッシュ１３をそのまま端部側に延長して、折り返すことにより、下折フック補強筋とすることができる。また、ワイヤメッシュ１３の鉄骨梁１４−１４間方向の鉄筋のみを端部側に延長して、折り返して下折フック補強筋とすることもできる。
本実施態様では、端部の上方から下方に補強筋が配置されているので端部の固定度が向上し、端部に発生するひび割れ及びスラブ上部に発生するひび割れが防止、抑制される。
【００２２】
（第５実施形態）
本発明の第５実施形態に係る合成デッキスラブについて、図６に基づいて説明する。合成デッキスラブ１の基本構造は図２と同様である。補強手段は、補強鉄筋がデッキプレートの溝内からワイヤメッシュの上部にスラブ端部において上方に折曲されている。さらに補強鉄筋を端部上部で折り返して配置することもできる合成デッキスラブに関する実施態様である。
本実施態様５では、補強用の鉄筋がＱＬデッキ１１の溝内を通り、スタッド１５の基端側を通過してスラブ端部において折り返されている上折フック補強筋５１を配置して補強した合成デッキスラブである。上折フック補強筋５１を設けることにより、スラブの引き抜き抵抗が向上し、固定度が向上して、スラブ上面に発生するひび割れが拡大することを抑制することができ、スラブ端部に発生するひび割れも拡大することを抑制することができる。
上折フック補強筋５１は、２回９０度に折り曲げられて、１８０度フックとなっている。１回９０度折り曲げの９０度フックとすることもできる。
図示の例では、ＱＬデッキ１１の溝内から延び、スタッドの基端側を通過する補強用の下部筋５１ａが鉄骨梁１４、１４間に通っている。補強用の上折フック補強筋５１は、鉄骨梁１４のフランジ１４Ｆ上部でスタッド１５よりも端部側で折り曲げられて端部筋５１ｂとなる。端部筋５１ｂはスタッド１５の上方で折り返されて上部筋５１ｃとなり、ワイヤメッシュ１３上方に延び、その先端は、鉄骨梁１４の右側のフランジ１４Ｆ以上とすることが好ましい。
上折フック補強筋５１の設置本数は、スタッドの数分を基本とするが、設計等の必要性に応じて加減することができる。
【００２３】
なお、本実施態様では、合成デッキスラブ１のＱＬデッキ１１の溝内に耐火用の鉄筋をあらかじめ仕込んである場合は、その耐火用の鉄筋を延長して上折フック補強筋５１として利用することもできる。
本実施態様では、さらに上下の折り返し部の内側に上折曲部補強筋５２ａと下折曲部補強筋５２ｂからなる折曲部補強筋５２を鉄骨の軸方向に配置することができる。折曲部補強筋５２は、鉄骨梁１４軸方向に配置されており、梁の全長に渡る一本である必要はなく、分割されたものであっても良い。短いものは隣接するスタッドの間隔よりも長くすることが望ましい。
本実施態様では、端部の下方から上方に補強筋が配置されているので端部の固定度が向上し、端部に発生するひび割れを防止、抑制でき、さらにスタッド上部側におり返すことによりスラブ上部に発生するひび割れを防止、抑制することができる。
【００２４】
（第６実施形態）
本発明の第６実施形態に係る合成デッキスラブについて、図７に基づいて説明する。
合成デッキスラブ１の基本構造は図２と同様である。補強手段が、ワイヤメッシュの下面にスラブ端部に向けて配設された補強鉄筋と該補強鉄筋の端部に接合された鉄板を設けた合成デッキスラブに関する実施態様である。
ワイヤメッシュ１３下面を通過する下面補強筋６１と合成デッキスラブの端面で下面補強筋６１に接合された端面部補強板６２が設けられている。本構成では、特に合成デッキスラブの端面の固定度が向上して、スラブ端部に発生するひび割れが拡大することを抑制することができる。特に、端面部補強板６２が設けられているので、下面補強筋６１の伸びに対する抵抗力が向上する。
図示の例では、補強用の下面補強筋６１がワイヤメッシュ１３下面とスタッド１５のヘッドの高さよりも下側であって、ＱＬデッキ１１よりも高い位置を通過して、合成デッキスラブの端部まで延びている。そして、スラブ端面に配置されている端面部補強板６２と下面補強筋６１は溶接などで接合して固定されている。なお、図７の図示では、端面部補強板６２はスラブコンクリートの表面に設けられているが、スラブコンクリートに埋め込むこともできる。
下面補強筋６１の設置本数は、スタッドの数分を基本とするが、設計等の必要性に応じて加減することができる。
端面部補強板６２は、鉄骨梁１４の軸方向に連続して設けることもできる。あるいは、分割して複数設けることもできる。分割する場合は、隣接するスタッドの間隔の長さ以上が適している。
【００２５】
鉄骨梁１４のフランジ１４Ｆ上に設けられている下面補強筋６１と端部に設けられている端面部補強板６２によって、スラブ端部の固定度が向上しており、端部に発生するひび割れとスラブ上部に発生するひび割れを防止、抑制することができる。
【００２６】
（第７実施形態）
本発明の第７実施形態に係る合成デッキスラブについて、図８に基づいて説明する。
合成デッキスラブ１の基本構造は図２と同様である。補強手段である補強鉄筋が、デッキプレートの溝内からスラブ端部に向けて配設され、補強鉄筋の端部に接合された鉄板を設けた合成デッキスラブに関する実施態様である。
ＱＬデッキ１１の溝内から伸びる下部補強筋７１と合成デッキスラブの端部で下部補強筋７１に接合された端面部補強板７２が設けられている。本構成では、特に合成デッキスラブの端面の固定度が向上して、スラブ端部に発生するひび割れが拡大することを抑制することができる。特に、端面部補強板７２が設けられているので、下面補強筋７１の伸びに対する抵抗力が向上する。
図示の例では、補強用の下部補強筋７１が、ＱＬデッキ１１溝の内部を通過して、合成デッキスラブの端部まで延びている。そして、スラブ端部のコンクリート内に配置されている端面部補強板７２と下部補強筋７１は溶接などで接合して固定されている。なお、図８の図示では、端面部補強板７２はスラブコンクリートの内部に埋め込まれているが、スラブコンクリートの端部表面に設けることもできる。
下部補強筋７１の設置本数は、スタッドの数分を基本とするが、設計等の必要性に応じて加減することができる。
端面部補強板６２は、鉄骨梁１４の軸方向に連続して設けることもできる。あるいは、分割して複数設けることもできる。分割する場合は、隣接するスタッドの間隔の長さ以上が適している。
【００２７】
なお、本実施態様では、合成デッキスラブ１のＱＬデッキ１１の溝内に耐火用の鉄筋をあらかじめ仕込んである場合は、その耐火用の鉄筋を延長して上折フック補強筋５１として利用することもできる。
鉄骨梁１４のフランジ１４Ｆ上に設けられている下部補強筋７１と端部に設けられている端面部補強板７２によって、スラブ端部の固定度が向上しており、端部に発生するひび割れを防止、抑制することができる。
【００２８】
（第８実施形態）
本発明の第８実施形態に係る合成デッキスラブについて、図９に基づいて説明する。
合成デッキスラブ１の基本構造は図２と同様である。補強手段である補強鉄筋が、隣接するスタッドを交互に縫って配置されている合成デッキスラブに関する実施態様である。
一本又は複数の鉄筋が鉄骨梁１４のフランジ１４Ｆ上に列条に設けられている複数のスタッド１５を交互に縫うように交互屈折配置筋８１が設けられている。
交互屈折配置筋８１があるのでスタッドは独立して変形することが抑えられて、スタッドに働く応力が分散して交互屈折配置筋８１にも負担される。スタッド１５と交互屈折配置筋８１は結束や溶接により結合するとより固定度が上がり、変形を抑えることができる。また、スタッド１５を頭付きスタッドとすることにより、交互屈折配置筋８１の抜止作用が向上する。
交互屈折配置筋８１は、ワイヤメッシュの下側に配置されることにより、ワイヤメッシュにも応力を伝えて、応力分散を図ることができる。
交互屈折配置筋８１は、鉄骨梁の軸方向に連続していることが好ましいが、数本のスタッド間の長さであっても作用、機能を発揮することができる。
図９（ａ）には、交互屈折配置筋８１として一本の鉄筋を用いた例を示し、（ｂ）は上部交互屈折配置筋８１ａと下部交互屈折配置筋８１ｂの２本の鉄筋を上下に配置した例を示している。（ａ）（ｂ）ともに、頭付きスタッドを用いている。交互屈折配置筋は３本以上でも良い。
【００２９】
合成デッキスラブの端面あるいは上面からスタッドのヘッド付近につながる端面ひび割れや上面ひび割れがスタッドの拘束が強くなって、又スタッドに掛かる応力が分散して、スタッドの変形が抑制されること及び交互屈折配置筋８１も応力を負担することにより、歪みが集中して発生するひび割れが成長せず、端面及び上面に発生するひび割れを防止、抑制することができる。
【００３０】
（第９実施形態）
本発明の第９実施形態に係る合成デッキスラブについて、図１０に基づいて説明する。
合成デッキスラブ１の基本構造は図２と同様である。補強手段である補強用の補強用溶接金網がスタッドに被せられて配置されている合成デッキスラブに関する実施態様である。
補強用溶接金網がスタッド周囲に配置あるいは固定されていることにより、スタッドに働く応力を補強用溶接金網にも分散することができる。
補強用溶接金網は、ワイヤメッシュよりも狭いピッチが好ましく、また、スタッドに溶接又は結束により結合することが好ましい。また、補強用溶接金網は、ワイヤメッシュの上側又は下側に配置することにより、ワイヤメッシュにも応力を伝えることができて、より端部に発生する歪みに基づく応力の分散を図ることができる。
補強用溶接金網は鉄骨梁の軸方向に連続していることが好ましく、鉄骨のフランジ方向の幅はフランジの巾内であれば十分である。なお、補強用溶接金網は一本もので有る必要は無く、分割されていても良い。
図１０は、補強用溶接金網９１がスタッド１５に被せられて配置された合成デッキスラブの例が示されている。（ａ）は平面視、（ｂ）は斜視を模式的に示している。
この図示の例は、ワイヤメッシュ１３よりも下側にワイヤメッシュ１３よりも狭いピッチの補強用溶接金網９１が、頭付きのスタッド１５に被せられている。用いられている補強用溶接金網９１は、鉄骨梁１４の軸方向に伸びる２本の鉄筋とそれに直交する横桟状の鉄筋で構成されたはしご状である。この補強用溶接金網９１は、結束などの手段によりスタッド１５に結合されている。狭いピッチの補強用溶接金網９１をスタッド１５に固定することにより、歪みに伴い生ずるスタッド１５に集中する応力を分散することができる。頭付きスタッドを利用することにより、補強用溶接金網９１の抜止機能が向上し、引き抜き抵抗が向上する。補強用溶接金網は、鉄筋等を結束して構成されても良い。
【００３１】
合成デッキスラブの端面あるいは上面からスタッドのヘッド付近につながる端面ひび割れや上面ひび割れが補強用溶接金網によって応力が分散して、歪みが集中して発生するひび割れが成長せず、端面及び上面に発生するひび割れを防止、抑制することができる。
【００３２】
（第１０実施形態）
本発明の第１０実施形態に係る合成デッキスラブについて、図１１に基づいて説明する。
補強手段が、複数の鉄筋が異なる向きで隣接するスタッドを交互に縫って配置されている合成デッキスラブに関する実施態様である。
２本の鉄筋が鉄骨梁１４のフランジ１４Ｆ上に列条に設けられている複数のスタッド１５を相互に交互に縫うように配置されている相互交互屈折対向配置筋８６が設けられている。
相互交互屈折対向配置筋８６があるのでスタッド両側から押さえられ、スタッドに働く応力が相互交互屈折対向配置筋８６に伝達されて負担される。スタッド１５と相互交互屈折対向配置筋８６は結束や溶接により結合するとより、固定度が上がり、応力が分散される。また、スタッド１５を頭付きスタッドとすることにより、交互屈折配置筋８１の抜止作用が向上する。
相互交互屈折対向配置筋８６は、ワイヤメッシュの下側に配置されることにより、ワイヤメッシュにも応力を伝えて、応力分散を図ることができる。
相互交互屈折対向配置筋８６は、鉄骨梁の軸方向に連続していることが好ましいが、数本のスタッド間の長さであっても作用、機能を発揮することができる。
上下に設けられた２本鉄筋が別の向きで隣接するスタッドに交互に屈折して設けられている相互交互屈折対向配置筋８６を模式的に示した平面視図を図１１（ａ）に、斜視図を（ｂ）に示している。
【００３３】
合成デッキスラブの端面あるいは上面からスタッドのヘッド付近につながる端面ひび割れや上面ひび割れがスタッドの拘束が強くなって、又スタッドに掛かる応力が分散して、スタッドの変形が抑制されること及び相互交互屈折対向配置筋８６も応力を負担することにより、歪みが集中して発生するひび割れが成長せず、端面及び上面に発生するひび割れを防止、抑制することができる。
【符号の説明】
【００３４】
Ａ１、Ａ２    上面ひび割れ
Ｂ１、Ｂ２    端面ひび割れ
１      合成デッキスラブ
１１    デッキプレート（ＱＬデッキ）
１２    コンクリート
１３    ワイヤメッシュ
１４    鉄骨梁
１４ｂ  中間鉄骨梁
１４Ｆ  フランジ
１５    スタッド
１５ｌ  ロングスタッド
２１    スタッド両側補強筋
２１ａ  外補強鉄筋
２１ｂ  内補強鉄筋
２２    鋼板（フラットバー）
３１    コ字型鉄筋
４１    下折フック補強筋
４１ａ  上部筋
４１ｂ  端部筋
４１ｃ  下部筋
４２    折曲部補強筋
４２ａ  上折曲部補強筋
４２ｂ  下折曲部補強筋
５１    上折フック補強筋
５１ａ  下部筋
５１ｂ  端部筋
５１ｃ  上部筋
５２    折曲部補強筋
５２ａ  上折曲部補強筋
５２ｂ  下折曲部補強筋
６１    下面補強筋
６２    端面部補強板
７１    下部補強筋
７２    端面部補強板
８１    （隣接スタッド）交互屈折配置筋
８１ａ  上部交互屈折配置筋
８１ｂ  下部交互屈折配置筋
８６    相互交互屈折対向配置筋
９１    補強用溶接金網
【図１】
2020041348.tif 000003
【図２】
2020041348.tif 000004
【図３】
2020041348.tif 000005
【図４】
2020041348.tif 000006
【図５】
2020041348.tif 000007
【図６】
2020041348.tif 000008
【図７】
2020041348.tif 000009
【図８】
2020041348.tif 000010
【図９】
2020041348.tif 000011
【図１０】
2020041348.tif 000012
【図１１】
2020041348.tif 000013
【図１２】
2020041348.tif 000014